(57)【要約】【課題】設置スペースを抑えることができ、また、配線の数も抑えることができる宅配ボックスを提供する。【解決手段】宅配ボックス１は、荷受け箱２と、荷受け箱２の荷受け口２０を開閉する扉３と、荷受け箱２に設けられたラッチ受け４と、扉３の裏側に設けられたラッチ５を備える。ラッチ５は、施錠位置と解錠位置の間で移動自在である。宅配ボックス１は、扉３の表側に設けられ、ラッチ５を施錠位置から解錠位置にまで移動させて扉３を開くための開操作部と、ラッチ５を解錠位置にまで移動しないように規制する複数の鍵装置７と、リンク機構８をさらに備える。リンク機構８は、扉３の裏側に設けられ、開操作部と複数の鍵装置７との間に介在し、複数の鍵装置７のうちの１つに選択的に接続可能に設けられている。リンク機構８に接続された１つの鍵装置７が、ラッチ５を解錠位置にまで移動しないように規制する。【選択図】図２
2018023753.tif 000002
【特許請求の範囲】
【請求項１】
荷受け口を有し、宅配物が収容される荷受け箱と、
前記荷受け口を開閉する扉と、
前記荷受け箱に設けられたラッチ受けと、
前記扉の裏側に設けられ、前記ラッチ受けに引っ掛かる施錠位置と、前記ラッチ受けから外れる解錠位置との間で移動自在なラッチと、
前記扉の表側に設けられ、前記ラッチを前記施錠位置から前記解錠位置にまで移動させて前記扉を開くための開操作部と、
前記ラッチを前記解錠位置にまで移動しないように規制する複数の鍵装置と、
前記扉の裏側に設けられ、前記開操作部と前記複数の鍵装置との間に介在し、前記複数の鍵装置のうちの１つの鍵装置に選択的に接続可能に設けたリンク機構と、を備え、
前記リンク機構に接続された前記１つの鍵装置が、前記リンク機構を介して、前記ラッチを前記解錠位置にまで移動しないように規制することを特徴とする宅配ボックス。
【請求項２】
前記リンク機構は、
前記複数の鍵装置の並ぶ方向に沿って位置する軸部と、前記軸部に沿ってスライド自在に操作される接続操作部とを有し、
前記接続操作部が、前記１つの鍵装置に選択的に接続されることを特徴とする請求項１に記載の宅配ボックス。
【請求項３】
前記扉の裏側に設けられ、前記接続操作部が露出する状態で前記リンク機構を覆うカバー材をさらに備え、
前記カバー材は、前記接続操作部に前記宅配物が接触することを抑える保護面を有し、この保護面は、前記接続操作部よりも前記扉から離れて位置することを特徴とする請求項２に記載の宅配ボックス。
【請求項４】
前記扉の裏側に設けられ、前記カバー材とは別体のスペーサーをさらに備え、
前記スペーサーは、前記接続操作部に前記宅配物が接触することを抑える保護面を有し、この保護面は、前記接続操作部よりも前記扉から離れて位置することを特徴とする請求項３に記載の宅配ボックス。
【請求項５】
前記複数の鍵装置に対応して、前記扉に設けられる複数の窓部をさらに備え、
前記接続操作部は、表示部を有し、
前記表示部は、前記接続操作部が前記１つの鍵装置に接続されたときに、前記複数の窓部のうち、前記１つの鍵装置に対応する１つの窓部を通じて視認可能に設けられていることを特徴とする請求項２乃至４のいずれか一項に記載の宅配ボックス。
【請求項６】
前記１つの鍵装置に接続されたときの前記接続操作部の前記表示部は、前記１つの鍵装置に対応する前記１つの窓部に対して、距離をおいて対向して位置することを特徴とする請求項５に記載の宅配ボックス。
【請求項７】
前記複数の鍵装置のそれぞれは、複数のロック解除ボタンを有し、
前記１つの鍵装置は、前記複数のロック解除ボタンのうち、あらかじめ設定された設定ボタンが押されることで、前記リンク機構との接続が解除されることを特徴とする請求項１乃至６のいずれか１項に記載の宅配ボックス。
【請求項８】
前記複数の鍵装置のそれぞれは、前記複数のロック解除ボタンの中から、前記設定ボタンを設定するための設定操作部を有することを特徴とする請求項７に記載の宅配ボックス。
【発明の詳細な説明】
【技術分野】
【０００１】
本発明は、宅配ボックスに関する。
【背景技術】
【０００２】
特許文献１には、集合住宅の玄関ロビーなどに設置される配達物受け取り装置が記載されている。
【０００３】
この配達物受け取り装置は、宅配物を収納することのできる複数の宅配ボックスを備えている。複数の宅配ボックスのそれぞれは、制御部で制御される鍵装置によって、扉の施錠が行われる。
【先行技術文献】
【特許文献】
【０００４】
【特許文献１】特開２００９−１００８７７号公報
【発明の概要】
【発明が解決しようとする課題】
【０００５】
ところで、特許文献１に記載の配達物受け取り装置は、複数の宅配ボックスを備えるため、広い設置スペースが必要であり、小規模の集合住宅への設置には向いていない。
【０００６】
また、特許文献１に記載の配達物受け取り装置は、複数の宅配ボックスのそれぞれの扉の施錠が電気的に行われるため、配線の数が多く、そのため、構造が複雑になりやすい。
【０００７】
上記事情に鑑みて、本発明は、設置スペースを抑えることができ、また、配線の数も抑えることができる宅配ボックスを提供することを目的とする。
【課題を解決するための手段】
【０００８】
本発明に係る一態様の宅配ボックスは、荷受け口を有し、宅配物が収容される荷受け箱と、前記荷受け口を開閉する扉と、前記荷受け箱に設けられたラッチ受けと、前記扉の裏側に設けられたラッチとを備える。前記ラッチは、前記ラッチ受けに引っ掛かる施錠位置と、前記ラッチ受けから外れる解錠位置との間で移動自在である。
【０００９】
前記宅配ボックスは、前記扉の表側に設けられ、前記ラッチを前記施錠位置から前記解錠位置にまで移動させて前記扉を開くための開操作部と、前記ラッチを前記解錠位置にまで移動しないように規制する複数の鍵装置と、リンク機構とをさらに備える。前記リンク機構は、前記扉の裏側に設けられ、前記開操作部と前記複数の鍵装置との間に介在し、前記複数の鍵装置のうちの１つの鍵装置に選択的に接続可能に設けられている。
【００１０】
前記リンク機構に接続された前記１つの鍵装置が、前記リンク機構を介して、前記ラッチを前記解錠位置にまで移動しないように規制する。
【発明の効果】
【００１１】
本発明は、設置スペースを抑えることができ、また、配線の数も抑えることができる宅配ボックスを提供することができるという効果を奏する。
【図面の簡単な説明】
【００１２】
【図１】図１は、本発明に係る実施形態１の宅配ボックスを示す斜視図である。
【図２】図２は、同上の宅配ボックスの扉が開いた状態を示す斜視図である。
【図３】図３は、同上の宅配ボックスの扉の裏側の構造を示す斜視図である。
【図４】図４Ａは、同上の宅配ボックスの接続操作部と鍵装置とが非接続状態にあるときの要部の平断面図であり、図４Ｂは、同上の接続操作部と鍵装置とが接続状態にあるときの要部の平断面図である。
【図５】図５は、同上の宅配ボックスの設置構造の他例を示す斜視図である。
【図６】図６は、図５のＡ―Ａ線における断面図である。
【図７】図７は、同上の宅配ボックスの変形例を示す平断面図である。
【図８】図８Ａは、本発明に係る実施形態２の宅配ボックスの扉を示す背面図であり、図８Ｂは、同上の宅配ボックスを示す平宅配ボックス面図である。
【図９】図９Ａは、本発明に係る実施形態３の宅配ボックスの扉を示す背面図であり、図９Ｂは、同上の宅配ボックスを示す平断面図である。
【発明を実施するための形態】
【００１３】
本発明は、宅配ボックスに関し、詳しくは、集合住宅の各住宅宛の宅配物を受け取ることができ、かつ、宛先に対応した施錠を行うことができる宅配ボックスに関する。
【００１４】
（実施形態１）
図１及び図２には、実施形態１の宅配ボックス１が示されている。宅配ボックス１は、荷受け口２０を有し、宅配物が収容される荷受け箱２と、荷受け口２０を開閉する扉３とを備える。以下では、荷受け箱２に対して荷受け口２０を閉じたときの扉３が位置する側を前方とし、その反対側を後方とし、平面視においてこの前後方向に直交する方向を左右方向として、各構成について説明する。各図において、矢印Ｘで示す方向が前方であり、矢印Ｙで示す方向が右方であり、矢印Ｚで示す方向が上方である。
【００１５】
宅配ボックス１は、荷受け箱２に設けられたラッチ受け４と、扉３の裏側に設けられたラッチ５と、扉３の表側に設けられた開操作部６と、扉３に設けられた複数の鍵装置７と、扉３の裏側に設けられたリンク機構８を備える。
【００１６】
さらに、宅配ボックス１は、扉３の表側に設けられたスタンプ操作部９と、扉３に設けられた伝票差込口１０と、扉３に複数の鍵装置７と対応するように設けられた複数の窓部１１と、扉３に設けられ、宅配ボックス１の使用状態を示す第二窓部１２を備える。さらに、宅配ボックス１は、扉３の裏側に設けられたカバー材１３を備える。
【００１７】
荷受け箱２は、前面が開口した略直方体の箱体である。荷受け箱２は、天板部２１と、底板部２２と、左右一対の側板部２３と、後板部２４とを一体に組み立てて設けられる。各板部２１、２２、２３、２４によって囲まれて形成される収容空間Ｓ１の前端部が、荷受け口２０である。
【００１８】
荷受け箱２は、天板部２１の左半部の前端部から垂下した受け板２５をさらに有する。受け板２５と底板部２２の前面にそれぞれ、矩形孔状のラッチ受け４が設けられている。つまり、荷受け箱２には、ラッチ受け４が上下一対に設けられている。また、受け板２５には、前方に向けて突出するトリガー部２６が設けられている。
【００１９】
扉３は、その右端部が、荷受け箱２の右端部に回転自在に支持されており、右開きである。なお、扉３は、荷受け箱２の荷受け口２０を開閉するように荷受け箱２に取り付けられればよく、左開きであってもよい。
【００２０】
ラッチ５は、ラッチ受け４に引っ掛かる施錠位置と、ラッチ受け４から外れる解錠位置との間で移動自在である。本実施形態では、ラッチ５は、扉３の裏側に回転自在に設けられた回転軸５０の上端部と下端部にそれぞれ設けられている。すなわち、扉３の裏側には、上下一対のラッチ５が、上下一対のラッチ受け４に対応するように設けられている。上下一対のラッチ５は、開操作部６の操作に連動して、施錠位置と解除位置との間で回転する。
【００２１】
開操作部６は、利用者によって操作されることで、ラッチ５を施錠位置から解錠位置にまで移動させて扉３を開く操作部分である。開操作部６は、本実施形態では、押しボタンである。利用者によって開操作部６が押されることで、上下一対のラッチ５が、施錠位置から解除位置へと回転してラッチ受け４から外れて、扉３を開くことが可能となる。開操作部６が押されていない状態では、上下一対のラッチ５は、施錠位置に位置する。
【００２２】
図３には、カバー材１３の図示が省略された、扉３の裏側の構造が示されている。
【００２３】
回転軸５０には、その長手方向の一部に、矩形板状の回転片５１と、バネからなる付勢部５２が設けられている。
【００２４】
開操作部６の裏側（後方）には、開操作部６の操作に伴って回転する伝達片６０が設けられている。開操作部６が押されて、伝達片６０が回転することで、伝達片６０によって回転片５１が前方に押されて、回転軸５０が回転し、これにより、上下一対のラッチ５が解錠位置へと回転移動する。開操作部６から手を放すと、付勢部５２の付勢力によって、回転片５１は、伝達片６０に押される前の状態へと復帰する。
【００２５】
複数の鍵装置７は、ラッチ５を解錠位置にまで移動（回転）しないように規制する装置である。本実施形態では、複数の鍵装置７のそれぞれは、プッシュ錠である。複数の鍵装置７は、互いに同じ構造である。
【００２６】
鍵装置７は、左右方向に長い略直方体状のケース７０と、ロック位置とアンロック位置との間で移動自在なロック部７１と、ロック位置にあるロック部７１をアンロック位置へと移動させるためのロック解除操作部７２を有する（図１参照）。
【００２７】
ケース７０は、扉３の裏面に固定されている。扉３には、ケース７０の固定箇所に開口３０が設けられており、ケース７０の前面は、開口３０を通じて扉３の表側に露出している。
【００２８】
ロック部７１は、ロック位置にあるときに、ケース７０から外側に突出し、ロック解除操作部７２によってアンロック位置に移動させたときに、ケース７０内に収容される。ロック部７１は、ケース７０内に設けられた付勢部（図示せず）によって付勢されており、進退自在であり、通常は、ロック位置に位置する。
【００２９】
図１に示すように、ロック解除操作部７２は、ケース７０の前面に設けられ、開口３０を通じて扉３の表側に露出している。ロック解除操作部７２は、本実施形態では、複数のロック解除ボタン７３と、操作片７４を有する。操作片７４は、ロック部７１と連結されており、操作片７４を右にスライド操作することで、ロック部７１は、ロック位置からアンロック位置へと移動する。操作片７４のスライド操作は、複数のロック解除ボタン７３によって規制される。
【００３０】
複数のロック解除ボタン７３のうち、あらかじめ設定された設定ボタン、つまり入居者固有の暗証番号が全て押されることで、操作片７４がスライド操作可能となり、これにより、ロック部７１をロック位置からアンロック位置へと移動させることができる。なお、設定ボタンの全てが押されていない状態では、操作片７４は、スライド操作不可であり、ロック部７１を移動させることができない。
【００３１】
図３に示すように、鍵装置７は、複数のロック解除ボタン７３の中から、設定ボタンを設定するための設定操作部７５と、設定操作部７５を覆うカバー部７６をさらに有する。設定操作部７５は、ケース７０の裏面に設けられている。カバー部７６は、設定操作部７５を覆うように、ケース７０の裏面にねじ等の固定具で着脱自在に取り付けられる。カバー部７６を取り外すことで、設定操作部７５の操作が可能となる。設定ボタンは、設定操作部７５を操作することで、変更自在である。
【００３２】
図１及び図３に示すように、複数の鍵装置７は、本実施形態では、上下に並んで位置する４つの鍵装置７である。扉３には、４つの鍵装置７に対応して４つの矩形の長孔状の開口３０が設けられている。４つの鍵装置７に対応して、扉３には４つの窓部１１が設けられる。４つの窓部１１のそれぞれは、４つの開口３０の側方に、間隔をおいて位置する。本実施形態では、４つの窓部１１のそれぞれは、扉３を厚み方向に貫通する丸孔である。扉３の表面（前面）のうち、各窓部１１と、その右側に位置する対応する開口３０の間には、部屋番号が記載される。
【００３３】
続いて、リンク機構８について説明する。
【００３４】
リンク機構８は、開操作部６と複数の鍵装置７との間に介在する機構である。リンク機構８は、複数の鍵装置７のうちの１つの鍵装置７に選択的に接続可能に設けられている。リンク機構８に接続された１つの鍵装置７が、リンク機構８を介して、ラッチ５を解錠位置まで移動しないように規制する。
【００３５】
リンク機構８は、複数の鍵装置７の並ぶ方向に沿って位置する軸部８０と、軸部８０に沿ってスライド自在に操作される接続操作部８１とを有する。接続操作部８１が、１つの鍵装置７に選択的に接続される。
【００３６】
さらに、リンク機構８は、ラッチ５の回転を規制する規制位置とラッチ５の回転を許容する許容位置との間で移動自在な規制部８２と、規制部８２と軸部８０の間に介在するリンク部８３とを有する。リンク部８３は、軸部８０側に接続される第一リンク部８３０と、規制部８２側に接続される第二リンク部８３１を含む。第一リンク部８３０には、第二リンク部８３１の一部が挿通される連結孔８３２が設けられている。
【００３７】
軸部８０は、本実施形態では、角棒状である。軸部８０は、扉３の裏面に設けられた上下一対の軸受け８４によって回転自在に支持されている。接続操作部８１は、上下一対の軸受け８４間において、軸部８０に沿ってスライド自在であり、かつ軸部８０と一体に回転可能である。リンク機構８は、上側の軸受け８４の上方において、軸部８０に嵌め込まれた回転板８５をさらに有する。回転板８５には、下方に突出する規制片（図示せず）が設けられている。上側の軸受け８４には、規制片の移動範囲を規制する切り欠き８４０が設けられている。これにより、軸部８０は、上側の軸受け８４によって回転範囲が規制されて、一定の範囲内で回転可能となっている。
【００３８】
回転板８５上には、第一リンク部８３０の一端部が回転自在に取り付けられている。ここで、第一リンク部８３０は、軸部８０の規制された範囲内での回転に伴って、左右方向に移動するように、回転板８５に取り付けられている。
【００３９】
接続操作部８１は、図３、図４Ａ及び図４Ｂに示すように、略円筒状の筒部８１０と、筒部８１０から突出した操作片８１１、接続片８１２及び表示片８１３を有する。筒部８１０の内側の孔に、軸部８０が嵌め込まれている。操作片８１１は、利用者（配達人）によって把持されて操作される操作部分である。接続片８１２は、ロック位置にあるときのロック部７１に引っ掛かって接続される部分である。操作片８１１と接続片８１２のそれぞれは、筒部８１０から径外方向に突出する略板状の突片である。操作片８１１と接続片８１２とは、筒部８１０の外周面のうち、互いに異なる部分から突出している。筒部８１０には、操作片８１１、接続片８１２、及び表示片８１３がこの順に、筒部８１０の周方向に並ぶように設けられている。
【００４０】
表示片８１３は、接続片８１２がロック部７１に接続されている状態にあることを表示するための部分である。本実施形態では、表示片８１３は、平面視略Ｖ字状である。表示片８１３は、筒部８１０から径外方向に突出した第一片部８１４と、第一片部８１４の先端から延びた第二片部８１５とを有する。第二片部８１５の筒部８１０側とは反対側を向く外面８１６が、複数の窓部１１のうちの１つを通じて視認可能な表示部８１７である。本実施形態では、表示片８１３の外面８１６は、赤色に着色されており、すなわち、表示部８１７は、赤色の面である。なお、表示部８１７には、「使用中」等の印字が設けられてもよい。
【００４１】
接続操作部８１は、ロック位置にあるときのロック部７１に引っ掛かって接続される接続姿勢（図４Ｂ参照）と、ロック位置にあるときのロック部７１に引っ掛からず接続されない非接続姿勢（図４Ａ参照）との間で回転自在である。接続操作部８１には、接続姿勢から非接続姿勢となる方向（平面視にて反時計回りの方向）に付勢力が付与されている。
【００４２】
接続操作部８１が接続姿勢にあるとき、ロック位置にあるときのロック部７１が、接続片８１２と操作片８１１との間に位置し、かつこのロック部７１に接続片８１２が引っ掛かる。非接続姿勢にあるとき、ロック位置にあるときのロック部７１が、接続片８１２と表示片８１３の間に位置し、かつこのロック部７１に接続片８１２が引っ掛からない。
【００４３】
接続操作部８１が接続姿勢にあるとき、表示片８１３の第二片部８１５の外面８１６（つまり表示部８１７）は、対応する１つの窓部１１の真後ろに位置する。言い換えると、表示部８１７は、対応する１つの窓部１１に対して、距離をおいて対向して位置する。これにより、接続操作部８１が接続姿勢にあるときに、対応する１つの窓部１１から表示部８１７が視認可能であり、どの鍵装置７が接続状態にあるのか確認することができる。ここで、窓部１１と表示部８１７が上記の位置関係であるため、対応する１つの窓部１１を正面側から真っすぐ見た場合には、表示部８１７が視認可能であるが、対応する１つの窓部１１を正面側から斜めに視た場合には、表示部８１７が視認不可である。
【００４４】
本実施形態では、宅配ボックス１は、複数の窓部１１の後方に位置する透明板１４と、透明板１４の後方に位置する表示板１５とをさらに有する。表示板１５の透明板１４側の外面１５０には、表示片８１３の第二片部８１５の外面８１６とは異なる色が着色されている。外面１５０は、例えば、緑色に着色されている。
【００４５】
これにより、接続操作部８１と接続状態にある１つの鍵装置７を除いた残りの３つの鍵装置７に対応した３つの窓部１１からは、表示板１５の外面１５０の色が視認可能である。なお、複数の鍵装置７のいずれにも接続操作部８１が接続されていない状態では、複数の窓部１１の全てから、表示板１５の外面１５０の色が視認可能である。
【００４６】
なお、透明板１４は、例えば宅配ボックス１に手が届く距離まで近づいたときにだけ、後方の表示板１５の外面１５０が見える程度の透明度であってもよい。この場合、遠くから窓部１１を見ただけでは、宅配ボックス１内の荷物の有無や、どの入居者向けの荷物が届いているのか、確認しにくくすることができる。
【００４７】
規制部８２は、許容位置（図３参照）とその下側の規制位置との間で、上下移動自在である。規制部８２は、規制位置にあるときに、開操作部６の伝達片６０の前方に位置し、これにより、伝達片６０の回転を規制して、ラッチ５の解錠位置までの回転を規制する。
【００４８】
規制部８２は、許容位置にあるときに、開操作部６の伝達片６０よりも上方に位置し、これにより、伝達片６０の回転が許容され、ラッチ５の解錠位置までの回転が許容される。
【００４９】
さらに、宅配ボックス１は、扉３の裏側に、伝票差込口１０に挿入された伝票に、押印するためのスタンプ機構１６を備える。スタンプ機構１６は、スタンプ操作部９が操作されることによって、伝票差込口１０内の伝票に、押印を一度だけ行えるように構成されている。スタンプ操作部９は、本実施形態では、押しボタンである。
【００５０】
スタンプ機構１６は、スタンプ１６０と、スタンプ１６０が装着されて昇降する昇降部１６１と、昇降部１６１の上半部を昇降自在に保持する保持カバー１６２と、保持カバー１６２と昇降部１６１を繋ぐ付勢部１６３を有する。付勢部１６３は、昇降部１６１が降下したときに、昇降部１６１に対して後ろ斜め上方の付勢力を付与する。
【００５１】
昇降部１６１は、その上端部に、引っ掛かり部１６４を有する。保持カバー１６２の上端部には、引っ掛かり部１６４が引っ掛かる段部１６５を有する。昇降部１６１は、引っ掛かり部１６４が段部１６５に引っ掛かる状態からトリガー部２６により扉３側へと押されて、引っ掛かり部１６４が段部１６５から外れることによって、降下可能となり、スタンプ１６０による押印が可能となる。
【００５２】
本実施形態では、宅配ボックス１は、荷受け可能な状態か否かを表示する表示板１８をさらに備える。表示板１８は、規制部８２に固定されており、規制部８２の昇降に伴って昇降する。表示板１８は、その前面（扉３側の面）に、受け取り可能であることを示す下表示部と、受け取り不可であること（つまり、宅配ボックス１内に宅配物があること）を示す上表示部とを有する。規制部８２が規制位置にあるときに、上表示部が第二窓部１２を通じて扉３の表側から視認可能となり、規制部８２が許容位置にあるときに、下表示部が第二窓部１２を通じて扉３の表側から視認可能となる。
【００５３】
宅配物の配達人によって接続操作部８１が非接続姿勢から接続姿勢に回転操作され、この状態で扉３が閉じられることによって、受け板２５から前方に突出するトリガー部２６が、昇降部１６１の上端部を扉３側へ押す。これにより、昇降部１６１の引っ掛かり部１６４が保持カバー１６２の段部１６５から外れて、昇降部１６１が降下可能となる。
【００５４】
この状態で、スタンプ操作部９が操作されることで、スタンプ１６０を降下させて、伝票差込口１０に挿入された伝票に対して押印することができる。スタンプ操作部９から手を放すと、昇降部１６１は付勢部１６３によって後ろ斜め上方の付勢力が付与されて、上昇し、引っ掛かり部１６４が保持カバー１６２の段部１６５に引っ掛かる。これにより、昇降部１６１は、降下不可な状態となり、スタンプ操作部９を押しても、スタンプ１６０が降下できず、押印不可となる。このように、スタンプ機構１６は、伝票に対する押印が一度のみ可能な機構となっている。
【００５５】
カバー材１３は、接続操作部８１が露出する状態で、リンク機構８を覆っている。本実施形態では、カバー材１３は、リンク機構８と鍵装置７の両方を覆っている。カバー材１３には、スライド移動する接続操作部８１に対応する部分に、接続操作部８１を露出させるための開口部１３０が設けられている。これにより、接続操作部８１は、扉３を開いた状態で操作が可能である。
【００５６】
以上説明した本実施形態の宅配ボックス１は、例えば、小規模の集合住宅の共通する入口部分の壁に取り付けられる。宅配ボックス１は、１つの荷受け箱２で複数の宛先の荷物を受け取ることができる構造であるため、宛先毎の荷受け箱２を配する場合に比べて、設置スペースを抑えることができる。また、宅配ボックス１は、施錠、解錠を機構的に行うことができる構造であるため、電源に接続する必要がなくて、設置を簡単に行うことができ、また、配線の数を抑えることができる。
【００５７】
続いて、本実施形態の宅配ボックス１の使用方法の一例について説明する。宅配ボックス１は、荷受け箱２の荷受け口２０が扉３で閉じられ、扉３のラッチ５が荷受け箱２のラッチ受け４に引っ掛かり、鍵装置７による施錠がなされていない状態が、受け取り前の状態である。このとき複数の鍵装置７は、集合住宅のそれぞれの世帯に応じた暗証番号（解錠用に設定された設定ボタンの組み合わせ）があらかじめ設定されており、各設定ボタンが押し込み操作前の状態にあるため、各鍵装置７の操作片７４がスライド操作不可である。またこのとき、各鍵装置７のロック部７１は、ロック位置に位置している。またこのとき、接続操作部８１の接続片８１２は、いずれのロック部７１とも接続しない状態（つまり非接続姿勢）に配置されている。
【００５８】
宅配物の配達人は、まず、開操作部６を押して、扉３を開く。次いで、配達人は、宅配物を、荷受け箱２内に収容し、接続操作部８１の操作片８１１をスライド操作して、宅配物の宛先の住宅の鍵装置７のロック部７１と、接続操作部８１の上下位置を合わせる。このとき、接続操作部８１は、非接続姿勢である。
【００５９】
次いで、配達人は、接続操作部８１の操作片８１１を軸部８０を中心に平面視時計回りに回転操作して、接続操作部８１を非接続姿勢から接続姿勢に切り替える。このとき規制部８２が、許容位置から規制位置へ移動する。またこのとき、接続片８１２が鍵装置７のロック部７１をロック位置からアンロック位置へと押し込みながら乗り越えて、再びロック位置に戻ったロック部７１に対して接続片８１２が引っ掛かって接続される。
【００６０】
またこのとき、接続操作部８１の表示片８１３の第二片部８１５の外面８１６（つまり表示部８１７）が、接続状態にある鍵装置７に対応する１つの窓部１１の後方に位置して、窓部１１を通じて視認可能となる。またこのとき、表示板１８が降下して、第二窓部１２の後方に、表示板１８の上表示部が位置し、宅配ボックス１が使用状態にあること（宅配ボックス１内に宅配物があること）が、扉３の表側から視認可能となる。
【００６１】
次いで、配達人は、扉３を閉じる。このとき、荷受け箱２の受け板２５から前方に突出するトリガー部２６によって、スタンプ機構１６の昇降部１６１の上端部が扉３側に押されて、昇降部１６１が保持カバー１６２に対して引っ掛かる状態が解除されて、昇降部１６１が降下可能となる。
【００６２】
次いで、配達人は、伝票差込口１０に伝票を差し込んで、スタンプ操作部９を押し操作して、伝票に押印する。スタンプ操作部９から手を放すと、昇降部１６１は付勢部１６３による付勢力を受けて、上昇し、保持カバー１６２に対して引っ掛かり、昇降不可な状態となる。したがって、伝票への押印は一度だけ可能である。
【００６３】
続いて、宅配ボックス１から宅配物を取り出す方法の一例について説明する。
【００６４】
まず、集合住宅の入居者は、宅配ボックス１の複数の窓部１１と１つの第二窓部１２の両方、もしくは郵便受けに届けられた不在通知を視て、宅配ボックス１内に、自宅宛の宅配物が収容されているのか確認する。このとき、入居者は、該当の（つまり割り当てられた）１つの窓部１１から表示部８１７が視認可能か確認することによって、宅配ボックス１内に自宅宛の宅配物が届いているのかどうかを確認することができる。
【００６５】
次いで、該当の入居者は、該当の鍵装置７の複数のロック解除ボタン７３の中から、あらかじめ設定された設定ボタンを押し操作した後、操作片７４をスライド操作することで、ロック部７１をロック位置からアンロック位置へと移動させる。なお、設定ボタンの押し操作を間違えた場合には、操作片７４を押し込み操作することで、リセット可能である。
【００６６】
ロック部７１がアンロック位置へ移動すると、接続操作部８１が接続姿勢から非接続姿勢へと回転し、ロック部７１に対して接続操作部８１が接続された状態が解除される。このとき、規制部８２が、規制位置から許容位置へと移動し、開操作部６の押し操作が可能な状態となる。またこのとき、表示板１８の下表示部が第二窓部１２の後方に位置する。また、該当の入居者が、操作片７４から手を離すと、操作片７４はスライド操作前の位置へと戻り、ロック部７１は、アンロック位置からロック位置へと戻る。
【００６７】
次いで、該当の入居者は、開操作部６を押し操作して、扉３を開き、荷受け箱２内から宅配物を取り出す。
【００６８】
次いで、該当の入居者は、扉３を閉じる。扉３の第二窓部１２からは、表示板１８の下表示部が視認可能であるため、宅配ボックス１が使用可能な状態にあること（宅配ボックス１内に宅配物が無いこと）がわかる。
【００６９】
（変形例）
上述した実施形態１の宅配ボックス１は、下記の変形例を採用可能である。
【００７０】
ラッチ５は、ラッチ受け４に引っ掛かる施錠位置と、ラッチ受け４から外れる解錠位置との間で移動自在であればよく、回転自在に限らず、スライド自在でもよい。
【００７１】
リンク機構８は、開操作部６と複数の鍵装置７との間に介在し、複数の鍵装置７のうちの１つの鍵装置７に選択的に接続可能に設けられ、接続されたときに開操作部６によるラッチ５の回転を規制する機構であればよく、上記の構造とは別の構造であってもよい。
【００７２】
扉３には、接続状態にある接続操作部８１を視認可能な複数の窓部１１が設けられなくてもよく、例えば、各鍵装置７に使用状態を表示する表示部分が設けられてもよい。
【００７３】
複数の鍵装置７のそれぞれは、複数のロック解除ボタン７３を有するプッシュ錠に限らず、鍵穴とこの鍵穴に差し込んで回す鍵とで構成されてもよいし、ダイヤル錠であってもよい。
【００７４】
宅配ボックス１は、図５に示す設置構造の他例のように、集合住宅の共通する入口部分の壁１００に、縦横に並ぶように複数（例えば８つ）取り付けられてもよい。縦方向に隣接する２つの宅配ボックス１と、横方向に隣接する２つの宅配ボックス１のそれぞれは、荷受け箱２の外面同士が接する状態で、壁１００に取り付けられる。
【００７５】
各宅配ボックス１では、図６に示すように、扉３は、その左右方向の長さが、荷受け箱２よりも一回り小さい。扉３の左右の端面３１のそれぞれは、荷受け箱２の左右の端面２７のそれぞれよりも、例えば２ｍｍほど左右方向内側に位置している。扉３の回転軸３２は、扉３を開閉する際に、この扉３が隣接する他の宅配ボックス１の閉じた状態の扉３に接触しないように、その位置が設定されている。なお、宅配ボックス１の数と配置は、適宜設定可能である。
【００７６】
以上説明した設置構造の他例では、複数の宅配ボックス１のそれぞれで、集合住宅の各住宅宛の荷物を受け取ることができ、利便性が高い。また、設置構造の他例では、複数の宅配ボックス１が隙間なく設置されているものの、各扉３の開閉の際に、隣接する他の扉３が邪魔になることを抑えられる。
【００７７】
カバー材１３は、図７に示す変形例のように、接続操作部８１に宅配物が接触することを抑える保護面１３１を有してもよい。この保護面１３１は、接続操作部８１よりも扉３から離れて位置する。
【００７８】
接続操作部８１は、軸部８０を中心に、保護面１３１よりも前方（扉３に近い側）で回転する。つまり、接続操作部８１の回転範囲は、保護面１３１よりも前側である。接続操作部８１は、操作片８１１の先端（後端）が最も後方に位置するときの姿勢においても、保護面１３１よりも前側に位置する。保護面１３１は、カバー材１３の外面のうち、開口部１３０の右側の孔縁から後方に向けて突出したリブ１３２の先端面（後面）である。
【００７９】
リブ１３２は、開口部１３０の右側の孔縁に上下方向に亘って位置する。開口部１３０の上下長さは、軸部８０に沿って上下にスライド移動する接続操作部８１の移動範囲と略同じである（図２参照）。そのため、接続操作部８１が上下方向のどの位置にある場合でも、リブ１３２の先端の保護面１３１が、接続操作部８１に隣接して位置する。
【００８０】
図７に示す変形例では、荷受け箱２内に収容された宅配物が、接続操作部８１の操作片８１１に当たって接続操作部８１の回転の妨げとなることを、保護面１３１によって抑制することができる。さらに、図７に示す変形例では、接続操作部８１の上下位置にかかわらず、接続操作部８１に保護面１３１が隣接して位置するため、保護面１３１によって、接続操作部８１への宅配物の接触を効果的に抑えることができる。
【００８１】
（実施形態２）
続いて、実施形態２の宅配ボックス１について説明する。図８Ａには、実施形態２の宅配ボックス１の扉３が示されている。以下では、実施形態１の宅配ボックス１と同様の構成については図中に同一の符号を付して詳しい説明を省略する。
【００８２】
実施形態２の宅配ボックス１では、カバー材１３は、接続操作部８１と軸部８０が露出する状態で、リンク機構８を覆うように構成されている。カバー材１３は、複数の鍵装置７を覆っていない。本実施形態の宅配ボックス１は、複数の鍵装置７を覆う第二カバー材１３３を、カバー材１３とは別体に備える。
【００８３】
カバー材１３は、前面が開口した扁平な直方体状であり、外面のうち後側（裏側）を向く面に、保護面１３１を有する。図８Ｂに示すように、保護面１３１は、接続操作部８１よりも、扉３から離れて位置する。接続操作部８１は、保護面１３１よりも前側（扉３に近い側）で、軸部８０に沿ってスライド移動する。
【００８４】
図８Ａに示すように、保護面１３１は、カバー材１３の後面のうち、外周部分を除いた残りの部分全体である。保護面１３１は、軸部８０全体の側方に、隣接して位置する。そのため、接続操作部８１の上下位置に関わらず、接続操作部８１の側方には保護面１３１が隣接して位置する。
【００８５】
なお、カバー材１３の後面には、接続操作部８１の操作の仕方が表示された表示部が設けられてもよく、この表示部は、例えばカバー材１３の後面に貼られたシールで構成される。
【００８６】
本実施形態では、接続操作部８１は、軸部８０に沿って上下方向にスライド移動することで、ロック部７１に接続される接続状態と、ロック部７１に接続されない非接続状態とに切り替えられる。
【００８７】
接続操作部８１は、赤などの目立つ色で構成されており、その外面の一部が表示部８１７として機能する。接続操作部８１は、ロック部７１が差し込まれる差込凹部８１８を有する。差込凹部８１８は、ロック部７１側に開口している。
【００８８】
ロック部７１は、その上面が軸部８０に近い側ほど下方に位置するように傾斜した傾斜面である。軸部８０は、平面視時計回りの方向に付勢されており、そのため、接続操作部８１は、平面視時計回りの方向に付勢されている。
【００８９】
リンク機構８は、接続操作部８１の前側に位置するスライド板８６をさらに有する。スライド板８６は、接続操作部８１を差し込むことのできる複数の接続凹部８６０と、複数の接続凹部８６０のそれぞれの側方に位置する貫通孔８６１を有する。スライド板８６は、軸部８０に連結されており、軸部８０に沿って上下にスライドする。スライド板８６は、リンク部８３を介して規制部８２に接続されている。スライド板８６は、上方に付勢されている。
【００９０】
複数の接続凹部８６０は、軸部８０に沿って等間隔に並ぶ。スライド板８６は、各接続凹部８６０が対応する各ロック部７１の前側に位置する下位置と、各接続凹部８６０が対応する各ロック部７１の前斜め上方に位置する上位置との間で、スライド可能である。
【００９１】
本実施形態では、接続操作部８１は、宅配物の配達人によって以下のように操作される。配達人によって施錠操作される前の状態では、図８Ａに示すように、スライド板８６は上位置に位置し、接続操作部８１は、複数の接続凹部８６０のうちのいずれか１つに差し込まれた状態で、対応する１つのロック部７１の上方に位置する。
【００９２】
まず、配達人は、接続操作部８１を掴んで回転させて、接続凹部８６０から引き出す。次いで、配達人は、施錠対象の１つの鍵装置７のロック部７１の上方まで、接続操作部８１を軸部８０に沿ってスライド移動させる。
【００９３】
次いで、配達人は、接続操作部８１を回転させて、該当の１つのロック部７１に対応した１つの接続凹部８６０に差し込む。このとき、接続操作部８１が差し込まれた接続凹部８６０の側方に位置する貫通孔８６１の真後ろに、接続操作部８１の外面の一部（表示部８１７）が位置する。
【００９４】
次いで、配達人は、接続操作部８１を下方にスライド移動させて、接続操作部８１の差込凹部８１８内に該当の１つのロック部７１を挿入する。このとき、接続操作部８１が、該当の１つのロック部７１の上面に当たりながら下がっていくことで、該当の１つのロック部７１は、ロック位置からアンロック位置を経由してロック位置へと戻り、接続操作部８１の差込凹部８１８内に収まる。差込凹部８１８内にロック位置にある該当の１つのロック部７１が収まった状態では、接続操作部８１は上方に付勢され、差込凹部８１８の下側の壁が、ロック位置にある該当の１つのロック部７１に引っ掛かる。
【００９５】
また配達人によって接続操作部８１が下方にスライド移動されたとき、スライド板８６は、上位置から下位置へと移動する。下位置にあるときのスライド板８６の各貫通孔８６１は、扉３の各窓部１１の真後ろに位置する。これにより、該当の１つのロック部７１に対応した１つの窓部１１を通じて、接続操作部８１の表示部８１７が視認可能となり、どの鍵装置７が施錠状態にあるのか確認することができる。
【００９６】
入居者は、該当の鍵装置７のロック解除ボタン７３と操作片７４を解錠操作して、ロック部７１をロック位置からアンロック位置へと移動させる。このとき、ロック部７１が接続操作部８１の差込凹部８１８から引き出され、これにより、接続操作部８１及びスライド板８６が、上方に付勢されてスライド移動する。
【００９７】
上述のように本実施形態では、該当の１つの鍵装置７が解錠操作されたときに、接続操作部８１が、実施形態１の接続操作部８１のように軸部８０周りに回転するのではなく、軸部８０に沿って上方にスライド移動するように構成されている。
【００９８】
以上説明した実施形態２の宅配ボックス１では、図８Ｂに示すように、荷受け箱２内に収容された宅配物１０４が、接続操作部８１に当たって接続操作部８１のスライド移動の妨げとなることを、保護面１３１によって効果的に抑えることができる。そのため、実施形態２の宅配ボックス１では、該当の１つの鍵装置７を解錠操作したときに、この１つの鍵装置７のロック部７１と接続操作部８１との接続状態が解除されないといった不具合を回避することができる。
【００９９】
（変形例）
上述した実施形態２の宅配ボックス１は、以下の変形例を採用可能である。
【０１００】
接続操作部８１は、実施形態１の接続操作部８１と同様に、該当の１つの鍵装置７が解錠操作されたときに、軸部８０周りに付勢されて回転するように構成されてもよい。
【０１０１】
（実施形態３）
続いて、実施形態３の宅配ボックス１について説明する。図９Ａには、実施形態３の宅配ボックス１の扉３が示されている。以下では、実施形態２の宅配ボックス１と同様の構成については図中に同一の符号を付して詳しい説明を省略する。
【０１０２】
実施形態３の宅配ボックス１は、扉３の裏側に設けられ、カバー材１３とは別体のスペーサー１９をさらに備える。スペーサー１９は、接続操作部８１に宅配物が接触することを抑える保護面１９０を有し、この保護面１９０は、接続操作部８１よりも扉３から離れて位置する。
【０１０３】
スペーサー１９は、本実施形態では、平断面Ｕ字状である。スペーサー１９は、図９Ｂに示すように、扉３の裏面に溶着等で固定される矩形板状の固定部１９１と、固定部１９１から後側に延長された矩形板状の立ち上がり部１９２と、立ち上がり部１９２の後端から左側に延長された矩形板状の保護部１９３を含む。固定部１９１と保護部１９３は、互いに平行である。スペーサー１９は、例えば、金属製であり、矩形状の鋼板を折り曲げ加工して形成される。保護部１９３の後側を向く面が、保護面１９０である。本実施形態では、保護面１９０は、前後方向において、接続操作部８１とカバー材１３の保護面１３１の間に位置する。
【０１０４】
本実施形態の宅配ボックス１では、軸部８０は、カバー材１３よりも長く、軸部８０の下端部が、カバー材１３よりも下方に位置している。スペーサー１９は、扉３の裏面のうち、カバー材１３の下方で、かつ軸部８０の下端部の側方に隣接する箇所に、配される。
【０１０５】
以上説明した実施形態３の宅配ボックス１では、図９Ｂに示すように、荷受け箱２内に収容された宅配物１０４が、接続操作部８１に当たって接続操作部８１のスライド移動の妨げとなることを、保護面１３１，１９０によって効果的に抑えることができる。接続操作部８１が軸部８０の下端部に位置するときには、隣接するスペーサー１９の保護面１９０によって、宅配物１０４の接触を効果的に抑えることができる。接続操作部８１が軸部８０の下端部以外の部分に位置するときには、隣接するカバー材１３の保護面１３１によって、宅配物１０４の接触を効果的に抑えることができる。
【０１０６】
そのため、実施形態３の宅配ボックス１では、該当の１つの鍵装置７を解錠操作したときに、この１つの鍵装置７のロック部７１と接続操作部８１との接続状態が解除されないといった不具合を回避することができる。
【０１０７】
また、実施形態３の宅配ボックス１では、カバー材１３とは別体にスペーサー１９を設けたことで、スペーサー１９の形状、材質、及び配置の自由度が高い。また、カバー材１３を、接続操作部８１のスライド移動範囲（軸部８０の上下長さ）と同程度の上下長さを有するように形成する必要がなくて、型代などの製造コストを抑えることができる。
【０１０８】
（変形例）
上述した実施形態３の宅配ボックス１は、以下の変形例を採用可能である。
【０１０９】
接続操作部８１は、実施形態１の接続操作部８１と同様に、該当の１つの鍵装置７が解錠操作されたときに、軸部８０周りに付勢されて回転するように構成されてもよい。
【０１１０】
スペーサー１９の保護面１９０は、カバー材１３の保護面１３１と前後位置が同じであってもよいし、保護面１３１よりも後側に位置してもよい。
【０１１１】
スペーサー１９は、接続操作部８１よりも扉３から離れて位置し、かつ接続操作部８１に宅配物が接触することを抑える保護面１９０を有すればよく、スペーサー１９の形状及び配置は、その他の形状及び配置であってもよい。
【０１１２】
また、実施形態３のスペーサー１９は、実施形態１や実施形態２の宅配ボックス１にも採用可能である。
【０１１３】
また、実施形態３の宅配ボックス１は、図５に示す設置構造の他例のように、集合住宅の共通する入口部分の壁１００に、縦横に並ぶように複数（例えば４つ）取り付けられてもよい。壁１００に取り付ける宅配ボックス１の数は、集合住宅の世帯数と、宅配ボックス１が備える鍵装置７の数に合わせて適宜設定可能である。
【０１１４】
（実施形態の効果）
以上説明した実施形態１乃至３の宅配ボックス１は、第一の特徴として、下記の構成を備える。
【０１１５】
すなわち、実施形態１乃至３の宅配ボックス１は、荷受け口２０を有し、宅配物が収容される荷受け箱２と、荷受け口２０を開閉する扉３と、荷受け箱２に設けられたラッチ受け４と、扉３の裏側に設けられたラッチ５とを備える。ラッチ５は、ラッチ受け４に引っ掛かる施錠位置と、ラッチ受け４から外れる解錠位置との間で移動自在である。
【０１１６】
宅配ボックス１は、扉３の表側に設けられ、ラッチ５を施錠位置から解錠位置にまで移動させて扉３を開くための開操作部６と、ラッチ５を解錠位置にまで移動しないように規制する複数の鍵装置７と、リンク機構８とをさらに備える。リンク機構８は、扉３の裏側に設けられ、開操作部６と複数の鍵装置７との間に介在し、複数の鍵装置７のうちの１つの鍵装置７に選択的に接続可能に設けられている。
【０１１７】
リンク機構８に接続された１つの鍵装置７が、リンク機構８を介して、ラッチ５を解錠位置にまで移動しないように規制する。
【０１１８】
上記第一の特徴のように、実施形態１乃至３の宅配ボックス１は、１つの荷受け箱２の扉３に、複数の鍵装置７が設けられ、複数の鍵装置７のうちの１つがリンク機構８を介して、開操作部６によるラッチ５の施錠位置から解錠位置までの移動を規制する。よって、実施形態１乃至３の宅配ボックス１によれば、１つの荷受け箱２で、集合住宅の各住宅宛の宅配物を受け取ることができ、宛先に対応した鍵装置７で扉３を施錠することができる。したがって、実施形態１乃至３の宅配ボックス１によれば、住宅毎の荷受け箱２が必要とならないため、設置スペースを抑えることができる。また、実施形態１乃至３の宅配ボックス１によれば、扉３の施錠と解錠を、ラッチ５の移動を機構的に規制するリンク機構８を介して行うことができるため、扉３の施錠と解錠を電気的に行うものに比べて、配線の数を抑えることができる。
【０１１９】
さらに、実施形態１乃至３の宅配ボックス１は、第二の特徴として、下記の構成を付加的に備える。
【０１２０】
すなわち、実施形態１乃至３の宅配ボックス１では、リンク機構８は、複数の鍵装置７の並ぶ方向に沿って位置する軸部８０と、軸部８０に沿ってスライド自在に操作される接続操作部８１とを有する。接続操作部８１が、１つの鍵装置７に選択的に接続される。
【０１２１】
したがって、実施形態１乃至３の宅配ボックス１では、扉３を開いて、扉３の裏側にある接続操作部８１をスライド操作することで、複数の鍵装置７の中から１つの鍵装置７を選択して接続することができ、宛先に対応した鍵装置７の選択を簡単に行うことができる。
【０１２２】
さらに、実施形態１乃至３の宅配ボックス１は、第三の特徴として、下記の構成を付加的に備える。
【０１２３】
すなわち、実施形態１乃至３の宅配ボックス１は、扉３の裏側に設けられ、接続操作部８１が露出する状態でリンク機構８を覆うカバー材１３をさらに備える。カバー材１３は、接続操作部８１に宅配物が接触することを抑える保護面１３１を有し、この保護面１３１は、接続操作部８１よりも扉３から離れて位置する。
【０１２４】
したがって、実施形態１乃至３の宅配ボックス１では、荷受け箱２に荷受けされた宅配物が、接続操作部８１に接触することを、カバー材１３の保護面１３１によって抑えることができる。これにより、実施形態１乃至３の宅配ボックス１では、鍵装置７の解錠がしにくい等の不具合が生じることを抑制することができる。
【０１２５】
さらに、実施形態１乃至３の宅配ボックス１は、第四の特徴として、下記の構成を付加的に備える。
【０１２６】
すなわち、実施形態１乃至３の宅配ボックス１は、扉３の裏側に設けられ、カバー材１３とは別体のスペーサー１９をさらに備える。スペーサー１９は、接続操作部８１に宅配物が接触することを抑える保護面１９０を有し、この保護面１９０は、接続操作部８１よりも扉３から離れて位置する。
【０１２７】
したがって、実施形態１乃至３の宅配ボックス１では、荷受け箱２で受け取った宅配物が、接続操作部８１に接触することを、スペーサー１９の保護面１９０によって抑えることができる。これにより、実施形態１乃至３の宅配ボックス１では、鍵装置７の解錠がしにくい等の不具合が生じることを抑制することができる。
【０１２８】
さらに、実施形態１乃至３の宅配ボックス１は、第五の特徴として、下記の構成を付加的に備える。
【０１２９】
すなわち、実施形態１乃至３の宅配ボックス１では、複数の鍵装置７に対応して、扉３に設けられる複数の窓部１１をさらに備える。接続操作部８１は、表示部８１７を有する。表示部８１７は、接続操作部８１が１つの鍵装置７に接続されたときに、複数の窓部１１のうち、前記１つの鍵装置７に対応する１つの窓部１１を通じて視認可能に設けられている。
【０１３０】
したがって、実施形態１乃至３の宅配ボックス１では、接続操作部８１が１つの鍵装置７に接続されたときに、この鍵装置７に対応する窓部１１を通じて、接続操作部８１が有する表示部８１７を視認することができる。よって、実施形態１乃至３の宅配ボックス１では、接続操作部８１が接続された１つの鍵装置７が、複数の鍵装置７のうちのどの鍵装置７であるのか、窓部１１を通じて簡単に視認することができる。
【０１３１】
さらに、実施形態１乃至３の宅配ボックス１は、第六の特徴として、下記の構成を付加的に備える。
【０１３２】
すなわち、実施形態１乃至３の宅配ボックス１では、１つの鍵装置７に接続されたときの接続操作部８１の表示部８１７は、前記１つの鍵装置７に対応する１つの窓部１１に対して、距離をおいて対向して位置する。
【０１３３】
したがって、実施形態１乃至３の宅配ボックス１では、窓部１１を正面から（つまり窓部１１と表示部８１７が並ぶ方向から）視たときにだけ表示部８１７が視認可能であり、窓部１１を斜めから視たときには表示部８１７が視えない。これにより、実施形態１乃至３の宅配ボックス１では、宅配ボックス１内に荷物が入っていることをわかりにくくできて、防犯性の向上を図れる。また、実施形態１乃至３の宅配ボックス１では、どの住宅宛の荷物が宅配ボックス１内に入っているのかわかりにくくすることができて、プライバシーの保護が図りやすい。
【０１３４】
さらに、実施形態１乃至３の宅配ボックス１は、第七の特徴として、下記の構成を付加的に備える。
【０１３５】
すなわち、実施形態１乃至３の宅配ボックス１では、複数の鍵装置７のそれぞれは、複数のロック解除ボタン７３を有する。１つの鍵装置７は、複数のロック解除ボタン７３のうち、あらかじめ設定された設定ボタンが押されることで、リンク機構８との接続が解除される。
【０１３６】
したがって、実施形態１乃至３の宅配ボックス１では、複数のロック解除ボタン７３の中から、あらかじめ設定された設定ボタンを押すといった簡単な操作で、鍵装置７とリンク機構８との接続を解除して、扉３を開くことができる。
【０１３７】
さらに、実施形態１乃至３の宅配ボックス１は、第八の特徴として、下記の構成を付加的に備える。
【０１３８】
すなわち、実施形態１乃至３の宅配ボックス１では、複数の鍵装置７のそれぞれは、複数のロック解除ボタン７３の中から、前記設定ボタンを設定するための設定操作部７５を有する。
【０１３９】
したがって、実施形態１乃至３の宅配ボックス１では、マスターキーが不要であるため配達業者が限定されないといった利点や、入居者が変わったときに設定操作部７５によって設定ボタン（つまり暗唱番号）を簡単に変更することができるといった利点を有する。
【０１４０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１４１】
１      宅配ボックス
１１    窓部
１３    カバー材
１３１  保護面
１９    スペーサー
１９０  保護面
２      荷受け箱
２０    荷受け口
３      扉
４      ラッチ受け
５      ラッチ
６      開操作部
７      鍵装置
７３    ロック解除ボタン
７５    設定操作部
８      リンク機構
８０    軸部
８１    接続操作部
８１７  表示部
【図１】
2018023753.tif 000003
【図２】
2018023753.tif 000004
【図３】
2018023753.tif 000005
【図４】
2018023753.tif 000006
【図５】
2018023753.tif 000007
【図６】
2018023753.tif 000008
【図７】
2018023753.tif 000009
【図８】
2018023753.tif 000010
【図９】
2018023753.tif 000011